(57)【要約】【課題】たとえ消灯時においてもデザインの統一性に優れた有機ＥＬモジュールを提供することを課題とする。【解決手段】基板上に、第１電極層と、機能層と、第２電極層を備えた有機ＥＬ素子を有する断面構造を備え、前記基板を平面視したときに、実際に発光する発光領域と、当該発光領域へ給電する給電領域が存在する有機ＥＬ装置を備えており、給電領域の光取出側の面に鏡面３７を有する鏡面部材７を備え、鏡面部材７の鏡面３７は、発光領域側から外側に向かって傾斜する傾斜面を有し、当該傾斜面は、断面形状が外側に凸の弧状の曲面となっている構成とする。【選択図】図９
2014056704.tif 000002
【特許請求の範囲】
【請求項１】
基材上に、第１電極層と、有機発光層と、第２電極層を備えた積層体を有する断面構造を備え、前記基材を平面視したときに、実際に発光する発光領域と、当該発光領域へ給電する給電領域が存在する有機ＥＬ装置を備えた有機ＥＬモジュールにおいて、
給電領域の光取出側の面に鏡面を有する鏡面部材を備え、
当該鏡面は、発光領域側から外側に向かって傾斜する傾斜面を有し、
当該傾斜面は、断面形状が外側に凸の弧状の曲面となっていることを特徴とする有機ＥＬモジュール。
【請求項２】
前記傾斜面は、断面形状が円弧を形成する部分があり、当該円弧を形成する部分の中心角の大きさが７５度以上９０度以下であることを特徴とする請求項１に記載の有機ＥＬモジュール。
【請求項３】
前記傾斜面の傾斜方向の基端は、発光領域内又は、発光領域と給電領域との境界部位に位置していることを特徴とする請求項１又は２に記載の有機ＥＬモジュール。
【請求項４】
前記有機ＥＬ装置の辺又は周の一部又は全部を保持するフレーム部材を有し、
前記鏡面部材は、当該フレーム部材の露出面側に位置していることを特徴とする請求項１乃至３のいずれかに記載の有機ＥＬモジュール。
【請求項５】
前記有機ＥＬ装置は、前記フレーム部材から露出する光取出面を有し、
有機ＥＬ装置の光取出面に偏光機能を有した光学フィルムが載置されていることを特徴とする請求項４に記載の有機ＥＬモジュール。
【請求項６】
傾斜面及び発光領域を直接的又は間接的に覆う透明板を有し、
当該透明板は、光取出側の面が平滑となっていることを特徴とする請求項１乃至５のいずれかに記載の有機ＥＬモジュール。
【請求項７】
鏡面部材は、傾斜面と有機ＥＬ装置との間に空間を有し、
当該空間内には、有機ＥＬ装置に給電するための給電部材を設置可能であることを特徴とする請求項１乃至６のいずれかに記載の有機ＥＬモジュール。
【請求項８】
基材上に、第１電極層と、有機発光層と、第２電極層を備えた積層体を有する断面構造を備え、前記基材を平面視したときに、実際に発光する発光領域と、当該発光領域へ給電する給電領域が存在する有機ＥＬ装置を備えた有機ＥＬモジュールに取り付けられる鏡面部材であって、
給電領域の光取出側の面に直接的又は間接的に取り付けられるものであり、
鏡面を有し、
当該鏡面は、発光領域側から外側に向かって傾斜する傾斜面を有し、
当該傾斜面は、断面形状が外側に凸の弧状の曲面となっていることを特徴とする鏡面部材。
【発明の詳細な説明】
【技術分野】
【０００１】
本発明は、主に照明として用いられる有機ＥＬ（Electro Luminescence）モジュールの光取出側の面全体を発光させるための鏡面部材に関するものである。また本発明は、当該鏡面部材を取り付けた有機ＥＬモジュールに関するものである。
【背景技術】
【０００２】
近年、白熱灯や蛍光灯に代わる照明装置として有機ＥＬモジュールが注目され、多くの研究がなされている。
【０００３】
ここで、有機ＥＬモジュールは、有機ＥＬ装置に封止構造やケーシングを施したものである。また、有機ＥＬ装置は、ガラス基板等の基材に、有機ＥＬ素子を積層し、この有機ＥＬ素子に給電するための給電構造を形成したものである。
そして、有機ＥＬ素子は、一方又は双方が透光性を有する２つの電極を対向させ、この電極の間に有機化合物からなる発光層を積層したものである。有機ＥＬ装置は、電気的に励起された電子と正孔との再結合のエネルギーによって発光する。
すなわち、有機ＥＬモジュールは、自発光デバイスであり、発光層の材料を適宜選択することにより、種々の波長の光を発光することができる。
【０００４】
また、有機ＥＬモジュールは、白熱灯や蛍光灯、ＬＥＤ照明に比べて厚さが極めて小さくて軽量であり、且つ面状に発光するので、設置場所の制約が少ないという特長を有している。さらに、有機ＥＬモジュールは、白熱灯や蛍光灯に比べて発光効率が高いので消費電力が少なく、発熱が少ないという特長も有している。
【０００５】
ところで、近年の居住空間の照明機器は、単なる直接照明としての機能だけではなく、居住空間のデザイン性を高めるといった付加的な機能が求められている。例えば、照明機器は、主に夜等の暗い時間帯に使用されることが多く、太陽の光が差す時間帯（例えば、昼間）には、消灯（不使用状態）されていることが多い。このような時間帯では、照明機器は、点灯時のみならず、消灯時においてもデザイン性が求められる。
【先行技術文献】
【特許文献】
【０００６】
【特許文献１】特開２０１２−１１９２３７号公報
【発明の概要】
【発明が解決しようとする課題】
【０００７】
例えば、照明装置として使用される有機ＥＬ装置としては特許文献１に記載されたものなどがある。
特許文献１に記載された有機ＥＬ装置は、同一平面上に実際に発光する発光領域と、当該発光領域への給電のための給電領域が混在している。給電領域においては、透明電極層のみが積層しており、給電用配線によって給電されている。
また、特許文献１に記載の有機ＥＬ装置の構造は、ガラス基板上に透明導電層、発光機能層、金属層が積層されている。消灯時には、ガラス基板と透明導電層と発光機能層はいずれも透光性を有している。すなわち、特許文献１に記載の有機ＥＬ装置を照明として使用した場合、消灯時における有機ＥＬ装置の発光領域の外観は、金属層の色が反映され、給電領域の外観は、給電用配線が反映される。そのため、有機ＥＬ装置の外観に給電用配線が現れてしまい、見栄えが悪い。それ故に、従来の有機ＥＬモジュールは、見栄えを良くするために、給電領域を樹脂フレーム等によって隠す必要がある。
【０００８】
ところが、樹脂フレームを取り付けると、点灯時において、樹脂フレームの部位は、発光領域の外側に位置するため、光らず、発光領域とのコントラスト差が顕著となる。
また、消灯時において、金属層は、真空蒸着装置等によって表面凹凸がきわめて少ない状態で積層されているため、鏡面光沢を有した状態で形成されている。そのため、消灯時における発光領域と樹脂フレームと間で外観が著しく異なるものとなってしまい、統一感がなく、デザイン性も悪いものとなっていた。
特に複数の有機ＥＬ装置を敷き詰めて大型の有機ＥＬモジュールを形成する場合には、有機ＥＬ装置間の境界部位を樹脂フレームで覆うと、点灯時に発光面間に間隔が空き、有機ＥＬ装置間の境界部位が目立つ。すなわち、よりいっそう統一感が損なわれ、見栄えが悪い。
【０００９】
そこで、本発明は、たとえ消灯時においてもデザインの統一性に優れた有機ＥＬモジュールを提供することを課題とする。また、前記した機能を持たせるための鏡面部材を提供することを課題とする。
【課題を解決するための手段】
【００１０】
発明者は、点灯時において、有機ＥＬ装置から照射される光が透明導電層を透過した正透過光と拡散透過光を含んでいる点に注目した。すなわち、拡散透過光を含んでいるため、実際に発光する面である発光面から全方位に拡散透過光が照射される。そこで、正透過光に加えて、この拡散透過光を利用して、実際にフレーム部材の一部を疑似的に光らせることで、使用者に発光領域とフレーム部材の双方が光っているかのような一体感を感じさせることを試みた。また、消灯時においては、発光面の色をフレーム部材の一部に映りこませることによって疑似的に同一色であるかのような一体感を持たせることを試みた。
そこで、発明者は、特開２００５−３２７６８６号公報にならって、凸面鏡を使用してフレーム部材を光らせることを試みた。すなわち、凸面鏡の鏡面反射光を使用者に感じさせることによって、フレーム部材が光っているように見せることを試みた。
ところが、うまくいかなかった。すなわち、点灯時において、凸面鏡では鏡面反射光の大部分が使用者側とは別の方向に反射してしまい、フレーム部材は光っているように見えるものの、発光面の間であきらかに輝度に差がみられた。つまり、点灯時において、凸面鏡の場合、鏡面反射光の大半が外側に逃げるため、使用者に光りが届かず、見た目上、発光面とフレーム部材との間で輝度に差がみられた。
また、消灯時において、凸面鏡の端部（有機ＥＬ装置と反対側の端部）では、発光領域の色が映り込まず、フレーム部材全体を同一色であるかのような一体感を持たせることができなかった。
【００１１】
このような結果を踏まえ、導き出された請求項１に記載の発明は、基材上に、第１電極層と、有機発光層と、第２電極層を備えた積層体を有する断面構造を備え、前記基材を平面視したときに、実際に発光する発光領域と、当該発光領域へ給電する給電領域が存在する有機ＥＬ装置を備えた有機ＥＬモジュールにおいて、給電領域の光取出側の面に鏡面を有する鏡面部材を備え、当該鏡面は、発光領域側から外側に向かって傾斜する傾斜面を有し、当該傾斜面は、断面形状が外側に凸の弧状の曲面となっていることを特徴とする有機ＥＬモジュールである。
【００１２】
本発明の構成によれば、給電領域の光取出側の面に鏡面部材を有している。ここで、「光取出側の面」とは、有機発光層から放出される光が取り出される面であり、いわゆるボトムエミッション型の有機ＥＬ装置の場合、基材側の面となり、いわゆるトップエミッション型の有機ＥＬ装置の場合、第２電極層側の面となる。
すなわち、給電領域の光取出側の面の部材厚方向の投影面上に鏡面部材が位置している。言い換えると、使用者側の面に鏡面部材が位置している。
そして、本発明の構成によれば、鏡面部材の鏡面は、発光領域側から外側に向かって傾斜しており、当該傾斜面は、断面形状が外側（給電領域の端部側）に凸の弧状の曲面となっている。すなわち、鏡面部材の鏡面は、光取出側の面に対して垂直な成分と平行な成分を持っており、給電領域の内側端部（発光領域側）から外側端部（発光領域側と反対側）に向かうにつれて光取出側の面に対する曲面の接線の角度が大きくなっている。要するに、凹面鏡となっている。そのため、点灯時においては、発光領域で発せられる拡散透過光を鏡面で使用者側に反射させることが可能である。それ故に、使用者にあたかも鏡面部材の鏡面も光っているかのような印象を与えることが可能である。また、基材を平面視した場合に拡散透過光が凸面鏡に比べて内側（発光領域の中心側）に集光するため、発光領域の輝度が低下することがない。
さらに、消灯時においては、鏡面全体に発光領域を映りこませることが可能であり、有機ＥＬ装置の光取出側の面全体が同一色であるかのように使用者に感じさせることが可能である。
【００１３】
請求項２に記載の発明は、前記傾斜面は、断面形状が円弧を形成する部分があり、当該円弧を形成する部分の中心角の大きさが７５度以上９０度以下であることを特徴とする請求項１に記載の有機ＥＬモジュールである。
【００１４】
本発明の構成によれば、中心角の大きさが７５度以上９０度以下である。中心角の大きさが９０度より大きくなると、拡散透過光及び鏡面反射光を傾斜面で遮ることになり、使用者まで鏡面反射光が届かない場合がある。中心角の大きさが７５度より小さくなると、拡散透過光が傾斜面に届きにくく、傾斜面まで光っているように見えない場合がある。
【００１５】
請求項３に記載の発明は、前記傾斜面の傾斜方向の基端は、発光領域内又は、発光領域と給電領域との境界部位に位置していることを特徴とする請求項１又は２に記載の有機ＥＬモジュールである。
【００１６】
本発明の構成によれば、前記傾斜面の傾斜方向の基端は、発光領域内又は、発光領域と給電領域との境界部位に位置しているため、給電領域を鏡面部材で隠すことが可能であり、輝度にムラが生じにくい。
【００１７】
請求項４に記載の発明は、前記有機ＥＬ装置の辺又は周の一部又は全部を保持するフレーム部材を有し、前記鏡面部材は、当該フレーム部材の露出面側に位置していることを特徴とする請求項１乃至３のいずれかに記載の有機ＥＬモジュールである。
【００１８】
本発明の構成によれば、鏡面部材は、フレーム部材の露出面側に位置している。すなわち、フレーム部材と有機ＥＬ装置との接触面以外に位置しており、使用者が視認可能な領域に位置している。そのため、鏡面を視認することによって、鏡面で反射される鏡面反射光が使用者に届き、全面が光っているように見える。
【００１９】
請求項４に記載の有機ＥＬモジュールにおいて、前記有機ＥＬ装置は、前記フレーム部材から露出する光取出面を有し、有機ＥＬ装置の光取出面に偏光機能を有した光学フィルムが載置されていることが好ましい（請求項５）。
【００２０】
請求項６に記載の発明は、傾斜面及び発光領域を直接的又は間接的に覆う透明板を有し、当該透明板は、光取出側の面が平滑となっていることを特徴とする請求項１乃至５のいずれかに記載の有機ＥＬモジュールである。
【００２１】
本発明の構成によれば、光取出側の面が平滑となっている透明板を備えるため、居住空間等の使用者側に鏡面部材が張り出すことがなく、邪魔にならない。また、剛性を補強することができる。
【００２２】
請求項７に記載の発明は、鏡面部材は、傾斜面と有機ＥＬ装置との間に空間を有し、当該空間内には、有機ＥＬ装置に給電するための給電部材を設置可能であることを特徴とする請求項１乃至６のいずれかに記載の有機ＥＬモジュールである。
【００２３】
本発明の構成によれば、傾斜面と有機ＥＬ装置との間に空間があるため、給電配線等の給電部材を当該空間に収納することが可能であり、光取出側の面であって使用者が視認可能な領域に給電部材が露出せず、見栄えがよい。
【００２４】
請求項８に記載の発明は、基材上に、第１電極層と、有機発光層と、第２電極層を備えた積層体を有する断面構造を備え、前記基材を平面視したときに、実際に発光する発光領域と、当該発光領域へ給電する給電領域が存在する有機ＥＬ装置を備えた有機ＥＬモジュールに取り付けられる鏡面部材であって、給電領域の光取出側の面に直接的又は間接的に取り付けられるものであり、鏡面を有し、当該鏡面は、発光領域側から外側に向かって傾斜する傾斜面を有し、当該傾斜面は、断面形状が外側に凸の弧状の曲面となっていることを特徴とする鏡面部材である。
【００２５】
本発明の構成によれば、点灯時においては、発光領域で発せられる拡散透過光を鏡面で使用者側に反射させることが可能である。それ故に、使用者にあたかも鏡面部材の鏡面も光っているかのような印象を与えることが可能である。また、鏡面反射光が凸面鏡に比べて内側（発光領域の中心側）に集光するため、発光領域の輝度が低下することがない。
さらに、消灯時においては、鏡面全体に発光領域を映りこませることが可能であり、有機ＥＬ装置の光取出側の面全体が同一色であるかのように使用者に感じさせることが可能である。
【発明の効果】
【００２６】
本発明の有機ＥＬモジュール及び鏡面部材によれば、点灯時及び消灯時の外観に統一性があり、見栄えがよい。
【図面の簡単な説明】
【００２７】
【図１】本発明の有機ＥＬモジュールの居住空間への設置例の説明図である。
【図２】図１の有機ＥＬモジュールの拡大斜視図であり、発光面が上側を向いている図（図１とは天地逆向き）である。
【図３】図２の有機ＥＬモジュールの分解斜視図である。
【図４】図２の有機ＥＬモジュールのＡ−Ａ断面図である。
【図５】図３の有機ＥＬ装置の電極部と有機ＥＬ素子の積層構造との関係を表す説明図である。
【図６】図２の有機ＥＬモジュールの一部破断斜視図であり、理解を容易にするため、透明板を省略している。
【図７】図２の有機ＥＬモジュールの有機ＥＬ装置を外した際の一部破断斜視図である。
【図８】図２の有機ＥＬモジュールの鏡面部材と給電部材の位置関係を表す斜視図（図２とは天地逆向き）である。
【図９】図２の有機ＥＬモジュールの点灯時における拡散透過光と鏡面反射光の光路を表す説明図である。
【図１０】本発明の有機ＥＬモジュールを敷き詰めた際の分解斜視図である。
【図１１】他の実施形態における有機ＥＬモジュールの断面図である。
【発明を実施するための形態】
【００２８】
以下、本発明の実施形態について詳細に説明する。
なお、以下の説明において、特に断りがない限り、有機ＥＬモジュール１の上下左右の位置関係は、図１の姿勢を基準に説明する。すなわち、有機ＥＬモジュール１を天井４０と平行にし、有機ＥＬモジュール１の光取出側（発光面３１側）の面が居住空間４１側を向いている状態を基準とする。
【００２９】
本実施形態の有機ＥＬモジュール１は、図１のように主に居住空間（生活空間）の照明装置として使用されるものである。有機ＥＬモジュール１は、図２，図３のように有機ＥＬ装置２と、フィルム部材３と、給電部材５，６と、鏡面部材７と、透明板８と、フレーム部材１０によって形成されている。
そして、本実施形態の有機ＥＬモジュール１は、鏡面部材７によって有機ＥＬモジュール１の光取出側の面全体が発光したようにみせることによって、フレーム部材１０を目立たなくし、デザインの統一性を持たせている。
このことを踏まえて、以下に各構成部材について説明する。
【００３０】
有機ＥＬ装置２は、有機ＥＬモジュール１の光源となるものであり、図５のように点灯時に実際に発光する発光面３１を囲むように給電領域２６，２７と額縁領域２８，２９を有している。すなわち、有機ＥＬ装置２は、図４，図５のようにその面内において、点灯時に実際に発光する発光面３１を有した発光領域２５と、点灯時に発光領域２５への給電に寄与する電極部１５，１６をそれぞれ有した給電領域２６，２７と、額縁領域２８，２９を有している。
具体的には、発光領域２５は、長さ方向ｌにおいて有機ＥＬ装置２の中央に位置しており、その周囲であって、長さ方向ｌに対向する２辺近傍にそれぞれ給電領域２６，２７が配されている。また、発光領域２５は、幅方向ｗ（長さ方向及び部材厚方向に対して直交する方向）の中央に位置しており、その周囲であって、幅方向ｗに対向する２辺近傍にそれぞれ額縁領域２８，２９が配されている。
【００３１】
有機ＥＬ装置２の発光領域２５の長さ方向ｌの外側に位置する給電領域２６，２７の構成について説明すると、有機ＥＬ装置２の給電領域２６，２７は、図５のように後述する有機ＥＬ素子３０内の第１電極層３３又は第２電極層３６と電気的に接続された電極部１５，１６をそれぞれ有している。電極部１５，１６は、幅方向ｗに給電領域２６，２７のほぼ全体に延伸している。本実施形態の有機ＥＬ装置２では、電極部１５が第１電極層３３と電気的に接続されており、電極部１６が第２電極層３６と電気的に接続されている。
【００３２】
本実施形態の有機ＥＬ装置２は、図５のように透光性を有した基板３２（基材）上に有機ＥＬ素子３０（積層体）を積層している。
有機ＥＬ素子３０は、図５のように少なくとも第１電極層３３と第２電極層３６との間に実際に発光する機能層３５（有機発光層）を備えたものである。本実施形態の有機ＥＬモジュール１では、少なくとも基板３２側から光を取り出すいわゆる「ボトムエミッション型」の有機ＥＬ装置２を採用しており、有機ＥＬ素子３０は、基板３２側から第１電極層３３、機能層３５、第２電極層３６がこの順に積層されて形成されている。
【００３３】
基板３２の材質は、透明性と絶縁性を備えたものであれば、特に限定されるものではなく、例えば、フレキシブルなフィルム基板やプラスチック基板などから適宜選択され用いられる。特にガラス基板や透明なフィルム基板は透明性や加工性の良さの点から好適である。
【００３４】
第１電極層３３は、透明導電性酸化物によって形成された層であり、消灯時において、透明性を有した層である。具体的には、インジウム錫酸化物（ＩＴＯ）などが採用できる。本実施形態の第１電極層３３は、陽極として使用されており、ＩＴＯで形成されている。
【００３５】
機能層３５は、第１電極層３３と第２電極層３６との間に設けられ、少なくとも一層の有機発光層を備えた層である。本実施形態の機能層３５は、主に有機化合物からなる複数の層から構成されている。この機能層３５は、一般的な有機ＥＬ装置に用いられている低分子系色素材料や、共役系高分子材料などの公知のもので形成することができる。また、この機能層３５は、ホール注入層、ホール輸送層、有機発光層、電子輸送層、電子注入層などの複数の層からなる積層多層構造であってもよい。
機能層３５は、消灯時において、透明あるいはほぼ透明となっている。
【００３６】
第２電極層３６は、特に限定されるものではなく、例えば銀（Ａｇ）やアルミニウム（Ａｌ）などが挙げられる。本実施形態の第２電極層３６は、陰極として使用されており、Ａｌで形成されている。
第２電極層３６は、真空蒸着装置等によって形成されており、表面が鏡面となっている。
【００３７】
続いて、本発明の特徴たる鏡面部材７について説明する。
図３に示される鏡面部材７は、平面視すると「ロ」字状の額縁状の部材である。また鏡面部材７は、図４のように内側面（有機ＥＬ装置２の発光領域２５側の面）に鏡面３７を有している。
具体的には、鏡面部材７は、断面形状が「へ」字状をしており、有機ＥＬ装置２に取り付けた姿勢において、天地方向上方に向かって立設した立壁部１１と、その立設方向先端部から発光面３１と平行に延びた載置部１３と、載置部１３の延伸方向先端からなだらかに折り返した傾斜部１２を有している。
【００３８】
傾斜部１２は、発光面３１に対して垂直成分と平行成分を有している。すなわち、発光面３１に対して垂直下向き（発光面３１に近接する方向）の成分と、有機ＥＬ装置２の中央に向かった平行（発光面３１の面方向）の成分を有している。また、傾斜部１２は、光取出側の面の一部又は全部に鏡面３７を有しており、断面形状が外側に凸の弧状の曲面となっている。すなわち、鏡面３７は、発光領域２５側から外側に向かって傾斜しており、なだらかな曲面となっている。
本実施形態では、鏡面３７は、断面形状が円弧状をしている。すなわち、鏡面３７の断面形状はいずれの位置においても、内側（発光領域２５側）を向いており、接線に対して直交する線が中心Ｏを通っている。図４に示される鏡面３７の中心角θの大きさは、７５度以上９０度以下となっている。
中心角θの大きさがこれより大きくなると、使用者に伝わる拡散透過光及び鏡面反射光を鏡面部材７で遮ることになり、使用者まで鏡面反射光が届かない場合がある。中心角の大きさがこれより小さくなると、拡散透過光が鏡面３７に届きにくく、鏡面３７まで光っているように見えない場合がある。
【００３９】
鏡面部材７の材質は、鏡面３７を有していれば、特に限定されるものではなく、例えば、少なくとも１つの面が鏡面処理の施された銀板、アルミニウム板などが採用できる。また、剛性を有した骨格部材に銀箔やアルミニウム箔などを取り付けて鏡面３７を形成していてもよい。
本実施形態では鏡面部材７は、有機ＥＬ素子３０の第２電極層３６と同一の素材によって形成されており、具体的には、アルミニウム板を折り曲げ加工して形成されている。
【００４０】
続いて、フレーム部材１０について説明する。
フレーム部材１０は、図４，図６のように有機ＥＬ装置２の各辺の一部又は全部を保持する部材である。
フレーム部材１０は、その外側端部近傍の断面形状が略「コ」の字状をしており、図４、図６のように底部１７と、底部１７から上方に向けて立設した周壁部１８と、周壁部１８の突出方向先端から内側に向けて立設した天面部１９によって形成されている。すなわち、フレーム部材１０は、図７のように底部１７と周壁部１８と天面部１９によって囲まれた保持空間２０を形成している。
天面部１９には、図３，図７のように有機ＥＬ装置２の電極部１５（電極部１６）に対応する位置にスリット状の挿通孔２１，２２が形成されている。挿通孔２１，２２は、給電部材５，６の一部を挿通可能となっている。具体的には、挿通孔２１，２２の内部には、図７のように給電部材５，６の電極側接続部４５，４５を嵌めこみ可能となっている。
フレーム部材１０は、樹脂製のフレームであり、伸縮自在となっている。
【００４１】
続いて、給電部材５，６について説明する。
給電部材５，６は、外部電源と有機ＥＬ装置２の電極部１５，１６とを電気的に接続する部材である。給電部材５，６は、有機ＥＬ装置２の電極部１５，１６と直接的に接続可能な電極側接続部４５と、外部電源と直接的又は間接的に接続可能な電源側接続部４６とを有している。
電極側接続部４５は、図７のように断面形状が略「Ｌ」字状の部材であり、通常使用時においては、フレーム部材１０と一体となっている。すなわち、フレーム部材１０内に埋没されており、フレームの一部を形成している。
電源側接続部４６は、線状の部材であり、導線である。有機ＥＬモジュール１を組み立てた際に、図２のようにその一部がフレーム部材１０からはみ出すはみ出し部４７，４８を有している。すなわち、はみ出し部４７，４８に外部電源を接続することによって給電可能となっている。
電極側接続部４５と電源側接続部４６は、はんだ等の公知の接続手段によって、電気的に接続されている。
【００４２】
続いて、フィルム部材３について説明する。
フィルム部材３は、偏光性を有した光学フィルムである。消灯時もおいて、乳濁色をしている。本実施形態では、ＯＣＦフィルムを採用している。
【００４３】
続いて、透明板８について説明する。
透明板８は、少なくとも一方の面が平滑である板状体である。
透明板８の材質は、透光性を有した材質であれば特に限定されるものではなく、例えば、透明アクリル板などが採用できる。
【００４４】
続いて、有機ＥＬモジュール１の各部材の位置関係について説明する。
有機ＥＬ装置２に注目すると、図４，図６のように有機ＥＬ装置２の各辺にはフレーム部材１０が取り付けられている。すなわち、フレーム部材１０の保持空間２０（図７参照）内に有機ＥＬ装置２の端部が挿入されている。有機ＥＬ装置２の下面を底部１７が覆っており、有機ＥＬ装置２の端面を立壁部１１が覆っており、有機ＥＬ装置２の上面の一部を天面部１９が覆っている。そして、有機ＥＬ装置２の給電領域２６，２７の電極部１５，１６に対応する位置にフレーム部材１０の挿通孔２１，２２が位置しており、挿通孔２１，２２の開口内を通過して給電部材５，６の電極側接続部４５，４５が取り付けられている。
有機ＥＬ装置２側から視ると、有機ＥＬ装置２の電極部１５，１６には、給電部材５，６の電極側接続部４５ａ，４５ｂ（図７参照）が押しつけられている。具体的には、有機ＥＬ装置２の電極部１５上には、図４のように給電部材５の電極側接続部４５ａが位置しており、電極部１６上には、給電部材６の電極側接続部４５ｂが位置している。
【００４５】
有機ＥＬ装置２の発光領域２５の一部又は全部をフィルム部材３が覆っている。本実施形態では、フィルム部材３は、長さ方向ｌにおいて、発光領域２５と給電領域２６，２７の境界まで覆っており、幅方向ｗにおいて、発光領域２５と額縁領域２８，２９の境界まで覆っている。
【００４６】
フレーム部材１０と鏡面部材７と給電部材５，６に注目すると、図４，図６のようにフレーム部材１０の天面部１９上に鏡面部材７が載置されており、天面部１９と鏡面部材７とに囲まれた挿入空間５０が形成されている。そして、挿入空間５０内には、給電部材５，６の電源側接続部４６ａ，４６ｂが敷設されている。フレーム部材１０の挿通孔２１，２２内部には、電極側接続部４５ａ，４５ｂが嵌挿されている（図７参照）。
給電部材５，６の電源側接続部４６ａ，４６ｂは、図８のように天地を逆転すると、立壁部１１と、載置部１３と、傾斜部１２によって形成された溝に沿ってそれぞれ這っている。すなわち、給電部材５の電源側接続部４６ａと、給電部材６の電源側接続部４６ｂは平行となっている。
【００４７】
透明板８は、フレーム部材１０の載置部１３上に載置されている。透明板８の平滑面と反対側の面が載置部１３と接触しており、透明板８の平滑面は外側（光取出側、有機ＥＬ装置２と反対側）を向いている。
透明板８とフィルム部材３との間には、隙間が形成されている。具体的には、透明板８とフィルム部材３と鏡面３７に囲まれた隙間ができている。言い換えると、フィルム部材３を透過した正透過光及び拡散透過光は、その一部が透明板８によって閉じ込められており、隙間内の空気を通過して鏡面３７に反射される。
【００４８】
続いて、有機ＥＬモジュール１の消灯時の外観について説明する。
消灯時には、上記したように有機ＥＬ装置２は、基板３２、第１電極層３３、機能層３５がいずれも透明となっており、さらに透明板８も透明となっているため、発光領域２５においては、フィルム部材３の色が外観に反映されており、乳濁色をしている。そして、フィルム部材３の色が鏡面部材７の鏡面３７に映っており、鏡面３７がフィルム部材３と同一の色となっている。そのため、透明板８の平滑面全面が同色に見える。すなわち、使用者は、有機ＥＬモジュール１の光取出側の面（透明板８の平滑面）全面がフィルム部材３の色であるかのように見える。それ故に、外観に統一性があり、見栄えがよい。
【００４９】
続いて、有機ＥＬモジュール１の発光時の光路及び外観について説明する。
有機ＥＬ装置２の発光領域２５から照射された正透過光は、直接使用者に伝わる。
そして、本実施形態の有機ＥＬモジュール１は、正透過光に加えて、上記したように拡散透過光を利用して透明板８の平滑面全面を光らせる。以下、拡散透過光の光路について説明する。
有機ＥＬ装置２の発光領域２５から照射された拡散透過光は、図９のように鏡面３７に対して入射角度φで入射し、鏡面３７に反射して反射角度δで使用者側に照射される。
具体的には、鏡面３７に入射した拡散透過光は、鏡面３７を円弧とする中心Ｏと入射点と結んだ直線ｍを対称軸として反射され鏡面反射光として使用者側に向かう。そのため、鏡面反射光は、円弧の接線以上に広がって照射されることがなく、鏡面反射光が有機ＥＬモジュール１の外側に分散しにくい。
【００５０】
上記した実施形態では、一つの有機ＥＬモジュール１について説明したが、本発明の応用として、複数の有機ＥＬモジュールを面上に敷き詰めて一つの照明装置として使用してもよい。具体的には、図１０のように碁盤状に有機ＥＬモジュール１を敷設してもよい。この場合、上記したように有機ＥＬモジュール１は、点灯時に全面が発光したように見えるため、有機ＥＬモジュール１間の境界をわかりにくくすることが可能であり、使用者に１つの照明装置として全面が光っているように見せることが可能である。
【００５１】
上記した実施形態では、透明板８とフィルム部材３との間に隙間が形成されていたが、本発明はこれに限定されるものではなく、例えば、図１１のように透明板８の形状を鏡面及びフィルム部材３に沿うような形状にして隙間を埋めてもよい。
【００５２】
上記した実施形態では、ボトムエミッション型の有機ＥＬ装置を採用したが、本発明はこれに限定されるものではなく、電極側（基板と反対側）から光を取り出すトップエミッション型の有機ＥＬ装置であってもよい。この場合、電極側に鏡面部材７を設置することが好ましい。
【符号の説明】
【００５３】
１  有機ＥＬモジュール
２  有機ＥＬ装置
３  フィルム部材（光学フィルム）
５，６  給電部材
７  鏡面部材
８  透明板
１０  フレーム部材
１２  傾斜部（傾斜面）
２５  発光領域
２６，２７  給電領域
２８，２９  額縁領域
３０  有機ＥＬ素子（積層体）
３１  発光面
３２  基板（基材）
３３  第１電極層
３５  機能層（有機発光層）
３６  第２電極層
【図１】
2014056704.tif 000003
【図２】
2014056704.tif 000004
【図３】
2014056704.tif 000005
【図４】
2014056704.tif 000006
【図５】
2014056704.tif 000007
【図６】
2014056704.tif 000008
【図７】
2014056704.tif 000009
【図８】
2014056704.tif 000010
【図９】
2014056704.tif 000011
【図１０】
2014056704.tif 000012
【図１１】
2014056704.tif 000013